(57)【要約】【課題】スラストロック機構の動作不良を防ぐため、スラストロック機構への水の浸入を防止することのできる排水栓操作装置を提供する。【解決手段】排水栓操作装置１２は、筒状のケーシング３４の上方の開口２８Ｃを貫通し、上下動可能に設けられた伝達軸部３６Ｂと、伝達軸部３６Ｂの上部に接続された操作ボタン２４と、ケーシング３４内に収容され、伝達軸部３６Ｂの上下動をインナーワイヤに伝達する筒状の軸管部３６Ａと、ケーシング３４と軸管部３６Ａとの間に配置され、伝達軸部３６Ｂ及び軸管部３６Ａがケーシング３４に対して上昇又は下降した時に、それぞれ所定の位置で伝達軸部３６Ｂ及び軸管部３６Ａを保持するスラストロック機構３４と、を備え、軸管部３６Ａは中心に上下に貫通する貫通孔が形成されており、貫通孔は、ケーシングの上方の開口２８Ｃの下方に配置されている。【選択図】図３
2012214982.tif 000002
【特許請求の範囲】
【請求項１】
上下動することにより浴槽の排水口を開閉する弁体を、インナーワイヤと、アウターチューブとからなるレリースワイヤを利用して、遠隔操作する排水栓操作装置であって、
前記アウターチューブの端部を保持し、上下に開口部を有する筒状のケーシングと、
このケーシングの上方の開口部を貫通し、上下動可能に設けられた伝達軸と、
この伝達軸の上部に接続された押しボタンと、
前記ケーシング内に収容され、前記伝達軸の上下動を前記インナーワイヤに伝達する筒状の軸管と、
前記ケーシングと前記軸管との間に配置され、前記伝達軸及び軸管が前記ケーシングに対して上昇した時に、所定の位置で前記伝達軸及び軸管を保持するスラストロック機構と、を備え、
前記軸管は、その中心に上下に貫通する貫通孔が形成されており、
前記貫通孔は、前記ケーシングの上方の開口部の下方に配置されていることを特徴とする排水栓操作装置。
【請求項２】
前記軸管の上面に前記貫通孔へ水を導く導水面が形成されている、請求項１記載の排水栓操作装置。
【請求項３】
前記伝達軸は、前記軸管と連結アームを介して一体化されており、
前記連結アームの上面が、前記導水面の一部を構成している、請求項２記載の排水栓操作装置。
【請求項４】
前記スラストロック機構の下部には、前記ケーシングの内周面と、前記軸管の外周面との間に入り込んだ水の排出を促進させる排水促進路が設けられている、請求項１乃至３のうち何れか１項に記載の排水栓操作装置。
【発明の詳細な説明】
【技術分野】
【０００１】
本発明は、排水栓操作装置に関し、特に、上下動することにより浴槽の排水口を開閉する弁体を、インナーワイヤと、アウターチューブとからなるレリースワイヤを利用して、遠隔操作する排水栓操作装置に関する。
【背景技術】
【０００２】
従来より、浴槽の排水口に設けられた上下動可能な排水栓が設けられ、浴槽の周囲に設けられた操作部の操作ボタンが押されるたびに、排水栓が上下して排水口を開閉することができる排水栓操作装置が用いられている。このような排水栓操作装置では、操作ボタンの上下動は、インナーワイヤ及びアウターチューブからなるレリースワイヤにより排水栓へと伝達される。
【０００３】
また、近年、操作ボタンが押されるたびに、アウターチューブに対してインナーワイヤを進出させた状態と、インナーワイヤを退行させた状態とを切り換えることができるスラストロック機構を有する操作部を備えた排水栓操作装置が用いられている。このような装置によれば、操作ボタンを押すたびに、排水栓が上昇して排水口が開放された状態と、排水栓が下降して排水口が閉鎖された状態とを切り換えることができる。
【０００４】
しかしながら、操作ボタンの上下動は駆動軸を介して操作部のケーシング内に伝達されており、この駆動軸はケーシングの上部に設けられた開口から内部に挿入されているため、この開口からケーシング内に石鹸水が入り、スラストロック機構内に石鹸水の成分が固着しまうと動作不良を生じる虞がある。
【０００５】
これに対して、例えば、特許文献１には、駆動軸を包囲するように防水カバーを設け、さらに、防水カバーの上縁を操作ボタンの下面に接続し、下縁をスラストロック機構の上部に接続することにより、スラストロック機構への水の浸入を防止した排水栓操作装置が開示されている。
また、例えば、特許文献２には、操作ボタンの駆動軸にＯリングを取付け、このＯリングにより駆動軸と開口との隙間を封止した排水栓操作装置が開示されている。
【先行技術文献】
【特許文献】
【０００６】
【特許文献１】特開２００４−１５００６５号公報
【特許文献２】特開平１１−２１９６８号公報
【発明の概要】
【発明が解決しようとする課題】
【０００７】
しかしながら、特許文献１に開示されたように駆動軸を包囲するように防水カバーを設けた排水栓操作装置では、浴室を洗浄する際に、操作ボタンを取り外して内部を清掃することが推奨されており、このように操作ボタンを取り外してしまうと、防水カバーの上部から水が浸入し、スラストロック機構まで到達する虞がある。
【０００８】
また、特許文献２に開示されたように駆動軸にＯリングを取り付けた排水栓操作装置では、駆動軸に作動抵抗がかかるため、操作ボタンが動作不良になる虞がある。
【０００９】
本発明は、上述した問題を解決するためになされたものであり、スラストロック機構の動作不良を防ぐため、スラストロック機構への水の浸入を防止することのできる排水栓操作装置を提供することである。
【課題を解決するための手段】
【００１０】
上記の目標を達成するために、本発明は、上下動することにより浴槽の排水口を開閉する弁体を、インナーワイヤと、アウターチューブとからなるレリースワイヤを利用して、遠隔操作する排水栓操作装置であって、アウターチューブの端部を保持し、上下に開口部を有する筒状のケーシングと、ケーシングの上方の開口部を貫通し、上下動可能に設けられた伝達軸と、伝達軸の上部に接続された押しボタンと、ケーシング内に収容され、伝達軸の上下動をインナーワイヤに伝達する筒状の軸管と、ケーシングと軸管との間に配置され、伝達軸及び軸管がケーシングに対して上昇した時に、所定の位置で伝達軸及び軸管を保持するスラストロック機構と、を備え、軸管は、中心に上下に貫通する貫通孔が形成されており、貫通孔は、ケーシングの上方の開口部の下方に配置されていることを特徴とする。
【００１１】
このように構成された本発明によれば、開口部からケーシング内に水が浸入しても、軸管の貫通孔を通って、ケーシングの下方から排出される。これにより、スラストロック機構が配置されたケーシングと軸管との間に水が浸入することを防止できるため、例えば、石鹸水などの固着成分を有する水によりスラストロック機構が固着するのを防止でき、排水栓の動作不良を防止できる。
【００１２】
本発明において、好ましくは、軸管の上面に貫通孔へ水を導く導水面が形成されている。
このように構成された本発明によれば、軸管の上部に到達した水を確実に軸管部内の貫通孔に誘導できる。
【００１３】
本発明において、好ましくは、伝達軸は、軸管と連結アームを介して一体化されており、連結アームの上面が、導水面の一部を構成している。
このように構成された本発明によれば、伝達軸を伝った水が連結アームにおいて、確実に軸管の貫通孔内へ誘導できる。また、連結アームまで到達した水が、連結アームを伝って軸管部外へと流れることを防止できる。
【００１４】
本発明において、好ましくは、スラストロック機構の下部には、ケーシングの内周面と、軸管の外周面との間に入り込んだ水の排出を促進させる排水促進路が設けられている。
このように構成された本発明によれば、万が一、ケーシングと軸管部との間に水が浸入したとしても、排水促進路によりこの部分に水を滞留させることなく、下方へ促すことができる。これにより、スラストロック機構の固着を確実に防止できる。
【発明の効果】
【００１５】
本発明の排水栓操作装置によれば、スラストロック機構への水の浸入を確実に防止できる。
【図面の簡単な説明】
【００１６】
【図１】本発明の一実施形態による排水栓操作部を含む排水栓装置を備えた浴槽を示す斜視図である。
【図２】本発明の一実施形態による排水栓操作部を含む排水栓装置の構成図である。
【図３】図２に示す排水栓操作装置における操作部の詳細な構成を示す鉛直断面図である。
【図４】図２に示す排水栓操作装置における操作部の詳細な構成を示す分解上方斜視図である。
【図５】図２に示す排水栓操作装置における操作部の詳細な構成を示す分解下方斜視図である。
【図６】図３に示す操作部を構成するアウター部材を示し、（Ａ）は上方斜視図、（Ｂ）は下方斜視図である。
【図７】図３に示す操作部を構成するガイド部材の構成を示す図であり、（Ａ）は上面図、（Ｂ）は立面図、（Ｃ）は鉛直断面図、（Ｄ）は上部の拡大斜視図である。
【図８】図３に示す操作部を構成するスリーブの構成を示す図であり、（Ａ）は上方斜視図、（Ｂ）は下方斜視図である。
【図９】図３に示す操作部を構成するシャフトの構成を示す図であり、（Ａ）は上方斜視図、（Ｂ）は下方斜視図、（Ｃ）は鉛直断面図である。
【図１０】図３に示す操作部を構成する軸受の構成を示す図であり、（Ａ）は上方斜視図、（Ｂ）は下方斜視図である。
【図１１】図３に示す操作部を構成する回転リングの構成を示す図であり、（Ａ）は上方斜視図、（Ｂ）は下方斜視図である。
【図１２Ａ】図３に示す操作部の動作を示す図であり、回転リングのガイド突起が、アウター部材の突起部の間の隙間に収容された状態を示す。
【図１２Ｂ】図３に示す操作部の動作を示す図であり、回転リングのガイド突起の下部傾斜面が、ガイド部材の突起部の傾斜部と当接した状態を示す。
【図１２Ｃ】図３に示す操作部の動作を示す図であり、回転リングのガイド突起の側面が、ガイド部材の突起部の側面と当接した状態を示す。
【図１２Ｄ】図３に示す操作部の動作を示す図であり、回転リングのガイド突起の第１の上部傾斜部が、アウター部材の突起部の第１の傾斜部と当接した状態を示す。
【図１２Ｅ】図３に示す操作部の動作を示す図であり、回転リングのガイド突起の第１及び第２の上部傾斜部が、アウター部材の突起部の第１及び第２の傾斜部と当接した状態を示す。
【図１２Ｆ】図３に示す操作部の動作を示す図であり、回転リングのガイド突起の下部傾斜部が、ガイド部材の突起部の傾斜部と当接した状態を示す。
【図１２Ｇ】図３に示す操作部の動作を示す図であり、回転リングのガイド突起の下部傾斜部が、ガイド部材の突起部の第１の傾斜部と当接するとともに、回転リングのガイド突起の側面が、ガイド部材の突起部の側面と当接した状態を示す。
【図１２Ｈ】図３に示す操作部の動作を示す図であり、回転リングのガイド突起の上部傾斜部が、アウター部材の突起部の第３の傾斜部と当接した状態を示す。
【図１２Ｉ】図３に示す操作部の動作を示す図であり、回転リングのガイド突起が、アウター部材の突起部の間の隙間の下方に位置した状態を示す。
【図１３】図３に示す操作部における水の排水経路を示し、ケーシングの外部を通って排出される経路を示す。
【図１４】図３に示す操作部における水の排水経路を示し、ケーシング内に浸入し、シャフトの軸管内を通って排出される経路を示す。
【図１５】図３に示す操作部における水の排水経路を示し、ケーシングとシャフトの軸管との隙間を通って排出される経路を示す。
【発明を実施するための形態】
【００１７】
以下、本発明の一実施形態による排水栓操作装置を図面を参照しながら詳細に説明する。
図１は、本発明の一実施形態による排水栓操作部を含む排水栓装置を備えた浴槽を示す斜視図であり、図２は、本実施形態による排水栓操作部を含む排水栓装置の構成図である。図１に示すように、浴槽１は例えば樹脂製の成型部材からなり、底部に排水口２が形成され、上縁に沿ってフランジ部４が形成されている。浴槽のフランジ部４には、凹部６が形成されており、この凹部６内には貫通孔８が形成されている。
【００１８】
図２に示すように、排水栓装置１０は、排水栓操作部１２と、排水栓部１４と、これら排水栓操作部１２及び排水栓部１４とを結ぶレリースワイヤ部１６とを有する。排水栓操作部１２は浴槽１のフランジ部４の凹部６内の貫通孔８に取り付けられ、排水栓部１４は浴槽１の排水口２に取り付けられ、レリースワイヤ部１６は浴槽１の外部に沿って設けられたガイド筒１８内を延びている。
【００１９】
レリースワイヤ部１６は、一端が排水栓操作部１２に接続された第１のレリースワイヤ１８と、一端が排水栓部１４に接続された第２のレリースワイヤ２０と、第１及び第２のレリースワイヤ１８、２０を連結する動作反転部２２と、により構成される。第１及び第２のレリースワイヤ１８、２０は、それぞれ、アウターチューブと、アウターチューブ内に収容され、アウターチューブに対して相対的に進退可能なインナーワイヤとにより構成される。動作反転部１８は、第１及び第２のレリースワイヤ１８、２０におけるアウターチューブに対するインナーチューブの動作方向を逆方向に変換することができる（詳細は、特願２０１０−１５２１６２号参照）。
なお、この実施形態では、レリースワイヤ部１６に動作反転部２２を設けたが、もちろん動作反転部２２を設けないようにしてもよい。
【００２０】
排水栓操作部１２は、レリースワイヤ部１６の第１のレリースワイヤ１８が接続されており、後に詳述するように、操作ボタン２４が押し下げられるごとに、第１のレリースワイヤ１８のインナーワイヤをアウターチューブに対して進行させた状態と、インナーワイヤをアウターチューブに対して後退させた状態とを交互に切り換えることができる。
【００２１】
排水栓部１４は、上下動することにより浴槽１の排水口２を開閉する栓蓋２６と、栓蓋２６を上下に昇降させる昇降機構２７とを有する。昇降機構２７にはレリースワイヤ部１６の第２のレリースワイヤ２０が接続されており、昇降機構２７は、第２のレリースワイヤ２０のインナーワイヤがアウターチューブに対して進行することにより、栓蓋２６を上昇させて排水口２を開放し、インナーワイヤがアウターチューブに対して退行することにより、排水口２を閉鎖する。
【００２２】
このような構成により、排水栓装置１０は、操作ボタン２４を押し下げるごとに、排水栓部１４が栓蓋２６を上下させて、排水口２を閉鎖した状態と、排水口２を開放した状態とを交互に切り換えることができる。
【００２３】
図３は、排水栓操作部１２の詳細な構成を示す鉛直断面図であり、図４、図５はそれぞれ排水栓操作部１２の分解上方斜視図、分解下方斜視図である。これらの図に示すように、排水栓操作部１２は、操作ボタン２４と、アウター部材２８、ガイド部材３０、及びスリーブ３２により構成される円筒形状のケーシング３４と、シャフト３６と、軸受３８と、回転リング４０と、ワッシャ４２と、スプリング４４と、を有する。本実施形態では、回転リング４０と、ワッシャ４２と、スプリング４４とによりスラストロック機構４６が構成され、このスラストロック機構４６は、シャフト３６がケーシング３４に対して上昇した時に、所定の位置でシャフト３６を保持する。
【００２４】
図６は、アウター部材２８を示し、（Ａ）は上方斜視図、（Ｂ）は下方斜視図である。図６に示すように、アウター部材２８は、円筒形状の円筒部２８Ａと、円筒部２８Ａの上縁に接続されたフランジ板部２８Ｂとを有する。フランジ板部２８Ｂの中心には開口２８Ｃが形成され、フランジ板部２８Ｂの外周部には、周方向に間隔をあけて円筒部２８Ａの外部へと通じる周辺開口２８Ｄが形成されている。アウター部材２８の円筒部２８Ａの下端には、上下方向に延びる切り欠き部２８Ｅと、係合溝２８Ｇとが形成されている。円筒部２８Ａの上部内周面には、後に詳述するガイド突起部２８Ｆにより構成された第１のガイド部が形成されている。
【００２５】
図７はガイド部材３０の構成を示す図であり、（Ａ）は上面図、（Ｂ）は立面図、（Ｃ）は鉛直断面図、（Ｄ）は上部の拡大斜視図である。同図に示すように、ガイド部材３０は、径の異なる上部円筒部３０Ａと、下部円筒部３０Ｂとにより構成される。上部円筒部３０Ａは外径がアウター部材２８の内径と略等しく、また、下部円筒部３０Ｂはアウター部材２８と略同径である。上部円筒部３０Ａと、下部円筒部３０Ｂとの接続箇所には内フランジ３０Ｃが形成されており、内フランジ３０Ｃには後述するシャフト３６の円筒部を挿通できるような開口３０Ｄが形成されている。
【００２６】
ガイド部材３０の上部円筒部３０Ａの外周面には上下方向に延びる隆起部３０Ｅと係合爪３０Ｆとが形成されている。アウター部材２８及びガイド部材３０は、ガイド部材３０の上部円筒部３０Ａが下方からアウター部材２８の内側に収容され、ガイド部材３０の隆起部３０Ｅ及び係合爪３０Ｆが、それぞれ、アウター部材２８の切り欠き部２８Ｅ及び係合溝２８Ｇに嵌り込むことにより、一体となっている。
【００２７】
また、ガイド部材３０の下部円筒部３０Ｂの下端には、上下方向に延びる切り欠き部３０Ｈと、係合溝３０Ｉとが形成されている。ガイド部材３０の上部円筒部３０Ａの上縁には、後に詳述する第２のガイド部３０Ｊが形成されている。
【００２８】
図８は、スリーブ３２の構成を示す図であり、（Ａ）は上方斜視図、（Ｂ）は下方斜視図である。同図に示すように、スリーブ３２は、下端の外周にフランジ部３２Ａを有する円筒状の外部円筒部３２Ｂと、外部円筒部３２Ｂの内側に配置された内部円筒部３２Ｃと、外部円筒部３２Ｂ及び内部円筒部３２Ｃの下端部を接続する放射状に延びる複数の連結アーム３２Ｄと、内部円筒部３２Ｃから下方に延びる軸部３２Ｅと、内部円筒部３２Ｃの上部を閉塞する上方板部３２Ｆと、を有する。スリーブ３２の下端部において、外部円筒部３２Ｂ、内部円筒部３２Ｃ及び連結アーム３２Ｄにより囲まれた部分には開口３２Ｊが形成されている。
【００２９】
内部円筒部３２Ｃの内部には第１のレリースワイヤ１８の上端部が挿入され、アウターチューブ１８Ａが内部円筒部３２Ｃにより保持されている。また、上方板部３２Ｆの中心から軸部３２Ｅの下端まで貫通する貫通孔３２Ｇが形成されており、この貫通孔３２Ｇを第１のレリースワイヤ１８のインナーワイヤ１８Ｂが挿通している。
【００３０】
また、スリーブ３２の外部円筒部３２Ｂの上端部の外周には、上下方向に延びる隆起部３２Ｈと係合爪３２Ｉとが形成されている。そして、ガイド部材３０及びスリーブ３２は、アウター部材２８及びガイド部材３０と同様に、スリーブ３２の上端部がガイド部材３０の下端部の内側に収容され、スリーブ３２の隆起部３２Ｈ及び係合爪３２Ｉが、それぞれ、ガイド部材３０の切り欠き部３０Ｈ及び係合溝３０Ｉに嵌り込むことにより、一体となっている。
【００３１】
図９は、シャフト３６の構成を示す図であり、（Ａ）は上方斜視図、（Ｂ）は下方斜視図、（Ｃ）は鉛直断面図である。同図に示すように、シャフト３６は、円筒状の軸管部３６Ａと、軸管部３６Ａの上端の内周面に放射状に設けられた連結アーム３６Ｂと、連結アーム３６Ｂを介して軸管部３６Ａに接続された伝達軸部３６Ｃとにより構成される。軸管部３６Ａは、ガイド部材３０の内フランジ３０Ｃに形成された開口３０Ｄを挿通可能な外径を有する。伝達軸部３６Ｃは、アウター部材２８のフランジ板部２８Ｂの中心に形成された開口２８Ｃに挿通可能な径を有する。軸管部３６Ａと、連結アーム３６Ｂとにより囲まれた部分には開口３６Ｄが形成されている。
【００３２】
また、軸管部３６Ａの上縁には外フランジ３６Ｅが形成されており、この外フランジ３６Ｅの上面の周縁には上方に向かって縁部３６Ｆが立設されている。また、外フランジ３６Ｅの縁部３６Ｆの内側部分には、中心に向かって傾斜する傾斜面３６Ｇが形成されており、さらに、軸管部３６Ａと伝達軸部３６Ｇとを連結する連結アーム３６Ｂの上面は上方に向かって凸に湾曲した傾斜面３６Ｈが形成されている。後に詳述するように、この外フランジ３６Ｅの傾斜面３６Ｇ及び連結アーム３６Ｂの傾斜面３６Ｈがケーシング３４内に浸入した水を軸管部３６Ａへと導く導水面として機能する。
【００３３】
図１０は、軸受３８の構成を示す図であり、（Ａ）は上方斜視図、（Ｂ）は下方斜視図である。同図に示すように、軸受３８は、円筒状に形成された円筒部３８Ａと、円筒部３８Ａの上部に接続された嵌合突起３８Ｂとを有する。円筒部３８Ａは、シャフト３６の軸管部３６Ａと略同径を有する。嵌合突起３８Ｂは平面視十字状の突起からなり、円筒部３８Ａの直径と同じ幅を有する基部３８Ｃと、シャフト３６の軸管部３６Ａの内径と略同じ幅を有する上部３８Ｄとを有し、基部３８Ｃと上部３８Ｄとの接続部に段差３８Ｅが形成されている。また、軸受３８の円筒部３８Ａには下方から第１のレリースワイヤのインナーワイヤ１８Ｂの上端部が挿入されて、嵌合突起３８Ｂ内に定着されている。
【００３４】
図１０は、回転リング４０の構成を示す図であり、（Ａ）は上方斜視図、（Ｂ）は下方斜視図である。回転リング４０は、円筒状に形成された円筒部４０Ａの周囲に周方向に所定の間隔で複数のガイド突起４０Ｂが形成されている。回転リング４０の円筒部４０Ａは、内径がシャフト３６の軸管部３６Ａの内径と等しくなっている。また、ガイド突起４０Ｂは、後述するように、アウター部材２８の内周面に形成された第１のガイド部を構成するガイド突起２８Ｆ及びガイド部材３０の第２のガイド部３０Ｊと係合可能な厚さを有している。
【００３５】
操作部を組み立てるには、まず、シャフト３６の軸管部３６Ａに、回転リング４０、ワッシャ４２、及びスプリング４４の順序で挿通させる。そして、シャフト３６の伝達軸部３６Ｃをアウター部材２８のフランジ板部２８Ｂに形成された開口２８Ｃに挿入する。
【００３６】
さらに、アウター部材２８とガイド部材３０とを連結し、ガイド部材３０の下端側の開口から軸受３８を嵌合突起３８Ｂがシャフト３６の軸管部３６Ａ内に収容されるように挿入する。そして、スリーブ３２をアウター部材３０の下部に連結することにより排水栓操作部１２を組み立てることができる。
【００３７】
図３に示すように、組立状態の排水栓操作部１２において、アウター部材２８と、ガイド部材３０と、スリーブ３２とが連結され、一体のケーシング３４を構成する。また、軸受３８の嵌合突起３８Ｂの上部３８Ｄがシャフト３６の軸管部３６Ａの内側に嵌り込むことにより、軸受３８とシャフト３６とが一体となっている。なお、軸受３８の嵌合突起３８Ｂは十字型に形成されており、さらに、嵌合突起３８Ｂの基部３８Ｃにより、シャフト３６の軸管部３６Ａと、軸受３８の筒状部３８Ａの上部との隙間が形成されているため、この隙間を介して、筒状部３８Ａの内部と軸受３８の外部（すなわち、ケーシング３４の内部の空間）とが連通している。
【００３８】
一体となったこれら軸受３８及びシャフト３６は、ケーシング３８に対して長手方向（上下方向）に上下移動可能にケーシング３８内に収容されている。軸受３８及びシャフト３６は、ケーシング３８と同軸に配置されており、これにより、ケーシング３８（アウター部材２８）の上部に形成された開口２８Ｃの下方に、シャフト３６の軸管部３６Ａが位置する。
【００３９】
また、スプリング４４は圧縮状態となっており、下端がガイド部材３０の内フランジ３０Ｃに当接し、上端がワッシャ４２を介して回転リング４０の円筒部４０Ａの下面に当接している。これにより、回転リング４０は、シャフト３６の軸管部３６Ａに対して回転自在であるとともに、シャフト３６の外フランジ３６Ｅの下面に当接している。
【００４０】
インナーワイヤ１８Ｂが接続された軸受３８とシャフト３６とが一体となっており、また、アウターチューブ１８Ａはケーシング３４のスリーブ３２で保持されているため、ケーシング３４に対してシャフト３６が上昇することにより、インナーワイヤ１８Ｂがアウターチューブ１８Ａに対して退行し（すなわち、上方に引き上げられ）、ケーシング３４に対してシャフト３６が下降することにより、インナーワイヤ１８Ｂがアウターチューブ１８Ａに対して進出する（すなわち、下方に押し出される）。
【００４１】
以下、操作部の動作を、図１２Ａ〜図１２Ｉを参照しながら説明する。なお、以下の説明では、アウターチューブに対してインナーワイヤが退行した状態から説明を開始する。なお、図１２Ａ〜図１２Ｉでは、説明のため、アウター部材については輪郭のみを示している。
【００４２】
まず、アウター部材２８に形成された第１のガイド部を構成するガイド突起部２８Ｆ、ガイド部材３０に形成された第２のガイド部３０Ｊ、及び回転リング４０の外周面に形成されたガイド突起４０Ｂの形状を説明する。
【００４３】
同図に示すように、アウター部材２８に形成された第１のガイド部は、アウター部材２８の内周に所定の間隔で形成された複数のガイド突起部２８Ｆにより形成される。アウター部材２８の内周面に形成されたガイド突起部２８Ｆは、その両側面は鉛直に延びており、下部には反時計周り（図中左から右方向）に上方に向かって傾斜する第１の傾斜部２８Ｈと、第１の傾斜部２８Ｈに連続して下方に向かって傾斜する第２の傾斜部２８Ｉと、第２の傾斜部２８Ｉに連続して上方に向かって傾斜する第３の傾斜部２８Ｊとが形成されている。また、これらのガイド突起部２８Ｆの間には、周方向に、後述する回転リング４０に形成されたガイド突起４０Ｂを収容可能な隙間２８Ｋが形成されている。
【００４４】
また、回転リング４０の外周面に所定の間隔で形成された各ガイド突起４０Ｂは、上部には、反時計回りに上方に向かって傾斜する第１の上部傾斜部４０Ｃと、第１の上部傾斜部４０Ｃに連続して下方に向かって傾斜する第２の上部傾斜部４０Ｄと、が形成されており、下部には時計回りに下方に向かって傾斜する下部傾斜部４０Ｅが形成されている。
【００４５】
また、ガイド部材３０に形成された第２のガイド部３０Ｊは、ガイド部材３０の上縁に周方向に所定の間隔で形成された複数の突起部３０Ｋにより構成される。各突起部３０Ｋは、反時計回りに平坦に延びる平坦部３０Ｌと、平坦部３０Ｌから連続して下方に向かって傾斜する傾斜部３０Ｍと、傾斜部３０Ｍから下方に向かって延びる溝部３０Ｎとを有する。また、図７（Ｄ）に示すように、溝部３０Ｎの底部には、内側に向かう傾斜３０Ｐが設けられている。
【００４６】
図１２Ａに示すように、アウターチューブに対してインナーワイヤが退行した状態では、回転リング４０の各ガイド突起４０Ｂがアウター部材２８のガイド突起部２８Ｆの間の隙間２８Ｋに位置するため、スプリング４４の伸張力により、回転リング４０及びシャフト３６がケーシング３４に対して上方へと押し上げられ、シャフト３６の軸管部３６Ａの上端がケーシング３４の上面に当接している。このため、インナーワイヤは、ケーシング３４に保持されたアウターチューブに対して退行した状態となっている。
【００４７】
次に、図１２Ｂに示すように、操作ボタン２４が押されると、シャフト３６及びシャフトの外フランジ３６Ｅと係合する回転リング４０が下方に向かって押し下げられ、回転リング４０のガイド突起４０Ｂの下部傾斜部４０Ｅの下側端部が、ガイド部材３０の突起部３０Ｋの傾斜部３０Ｍの上側端部と当接する。また、これとともに、シャフト３６を介して軸受３８が押し下げられ、インナーワイヤがアウターチューブに対して進行する。
【００４８】
そして、この状態でさらに操作ボタン２４が押されると、回転リング４０のガイド突起４０Ｂの下部傾斜部４０Ｅが、ガイド部材３０の突起部３０Ｋの傾斜部３０Ｍと当接したまま、図１２Ｃに示すように、回転リング４０のガイド突起４０Ｂの第２の上部傾斜部４０Ｄ側（図中右側）の側面が、ガイド部材３０の突起部３０Ｋの平坦部３０Ｌ側（図中左側）の側面に当接するまで回転リング４０が半時計回りに回転する。そして、このように回転リング４０のガイド突起４０Ｂの図中右側側面が、ガイド部材３０の突起部３０Ｋの左側側面に当接すると、これ以上の操作ボタン２４の押し込みができなくなる。
【００４９】
次に、操作ボタン２４を解放すると、図１２Ｄに示すように、スプリング３６が伸張して、回転リング４０及びシャフト３６が上方に押し上げられ、回転リング４０の第１の上部傾斜部４０Ｃの上方端部が、アウター部材２８のガイド突起部２８Ｆの第１の傾斜面２８Ｈの下方端部と当接する。
【００５０】
さらに、スプリングが伸張すると、回転リング４０の第１の上部傾斜部４０Ｃの上方端部が、アウター部材２８のガイド突起部２８Ｆの第１の傾斜面２８Ｈの下方端部と当接しているため、図１２Ｅに示すように、回転リング４０の第２の上部傾斜部４０Ｄが、アウター部材２８のガイド突起部２８Ｆの第２の傾斜部２８Ｉと係合するまで、回転リング４０が時計回りに回転し、この状態で保持される。この状態では、図１２Ａを参照して説明した回転リング４０のガイド突起４０Ｂが、アウター部材２８のガイド突起部２８Ｆの間の隙間２８Ｋに位置している状態に比べて、シャフト３６がケーシング３４に対して下方に位置しており、すなわち、インナーワイヤがアウターチューブに対して進行した状態となっている。
【００５１】
次に、再び操作ボタン２４を押し下げる。これにより、図１２Ｆに示すように、回転リング４０がシャフト３６を介して押し下げられ、回転リング４０のガイド突起４０Ｂの下方傾斜面４０Ｅの下端部が、ガイド部材３０の突起部３０Ｋの傾斜部３０Ｍの上端部と当接する。
【００５２】
さらに、操作ボタン２４を押し下げると、図１２Ｇに示すように、回転リング４０のガイド突起４０Ｂの下方傾斜面４０Ｆが、ガイド部材３０の突起部３０Ｋの傾斜部３０Ｍに当接することにより、回転リング４０のガイド突起４０Ｂの図中右側の側面が、ガイド部材３０の突起部３０Ｋの図中左側の側面と当接するまで、回転リング４０が反時計周りに回転する。
【００５３】
そして、操作ボタン２４を解放すると、スプリング４４が伸張して、回転リング４０及びシャフト３６を押し上げる。これにより、図１２Ｈに示すように、回転リング４０のガイド突起４０Ｂの第１の上部傾斜面４０Ｃの上端部が、アウター部材２８のガイド突起部２８Ｆの第３の傾斜面２８Ｉの下端部と当接する。
【００５４】
さらに、スプリング４４が伸張することにより、回転リング４０の第１の上部傾斜面４０Ｃがアウター部材２８のガイド突起部２８Ｆの第３の傾斜面２８Ｉに当接することにより、回転リング４０が回転する。そして、図１２Ｋに示すように、回転リング４０のガイド突起４０Ｂがアウター部材２８のガイド突起部２８Ｆの間の隙間２８Ｋの下方に位置するまで回転すると、さらに、スプリング４４が伸張して、回転リング４０及びシャフト３６を上方へ押し上げ、図１２Ａを参照して説明した状態へと戻る。これにより、再び、ケーシング３４に対してシャフト３６が上方へ移動することになり、アウターチューブに対してインナーワイヤが退行した状態へと戻る。
【００５５】
以上のようにして、操作ボタン２４を押し下げるごとに、排水栓操作部１２は、インナーワイヤがアウターチューブに対して退行した状態と、インナーワイヤがアウターチューブに対して進行した状態とを切り換えることができる。
【００５６】
次に、上述の排水栓操作部１２における水が浸入した場合について説明する。
図１３は、本発明の実施形態による排水栓操作部１２における水の排出経路を示す図である。同図に示すように、浴槽のフランジ４の凹部６内には、操作ボタン２４と凹部６の内壁との隙間から水が浸入する。このように凹部６内に浸入した水は、アウター部材２８のフランジ板部２８Ｂに形成された開口２８Ｄを通り、ケーシング３４の外周を通って下方へ落下する。このため、スラストロック機構４６が配置されたケーシング３４とシャフト３６との間に水が浸入することを防止できる。
【００５７】
さらに、例えば、操作ボタン２４と凹部６の内壁との隙間から水が大量に浸入した場合や、操作ボタン２４を取り外して浴槽の清掃を行う場合などには、アウター部材２８のフランジ板部２８Ｂの開口２８Ｃと、シャフト３６の伝達軸部３６Ｃとの隙間からケーシング３４内に水が浸入し得る。
【００５８】
このようにケーシング３４内に進入した水は、図１４に示すように、シャフト３６の伝達軸部３６Ｃに沿って、或いは、アウター部材２８の開口２８Ｃから垂直に落下して軸管部３６Ａの上部に到達する。軸管部３６Ａの上端に形成された外フランジ３６Ｅの上面には、中心に向かって傾斜面３６Ｇが形成されており、また、軸管部３６Ａと伝達軸部３６Ｃとを連結する連結アーム３６Ｂの上面にも傾斜面３６Ｈが形成されているため、軸管部３６Ａの上部まで到達した水は、これら傾斜面３６Ｇ，３６Ｈにより軸管部３６Ａの内部へと導かれる。さらに、このように軸管部３６Ａ内へ導かれた水は、軸管部３６Ａの下端において、軸管部３６Ａの内面と軸受３８の嵌合突起３８Ｂとの間に形成された隙間を通り、軸受３８の外周へと流れる。軸受３８の外周へと流れた水は、ケーシング３４と軸受３８との間の隙間を下降し、スリーブ３２の外部円筒部３２Ｂと内部円筒部３２Ｃとの間を通り、スリーブ下部に形成された開口３２Ｊを通って、ケーシング３４の下方へと排出される。このよう、例え、ケーシング３４内に水が浸入しても、シャフト３６の軸管部３６Ａの内部を通って排出され、スラストロック機構４６が配置されたケーシング３４とシャフト３６との間に水が浸入することを防止できる。
【００５９】
また、万が一、アウター部材２８の開口２８Ｃと、シャフト３６の伝達軸部３６Ｃとの隙間からケーシング３４内に水が浸入し、さらに、アウター部材２８の内面に沿って水が浸入した場合には、浸入した水はアウター部材２８の内面に沿って下方に流れる。そして、この水は、ガイド部材３０の突起部３０Ｋへと到達すると、突起部３０Ｋの傾斜部３０Ｍに案内されて溝部３０Ｎへと導かれる。溝部３０Ｎには内側に向かって下方に傾斜する傾斜３０Ｐが形成されているため、突起部３０Ｋに水が滞留することなく、ガイド部材３０の内面に沿って下方に流れることとなる。そして、ガイド部材３０の下部円筒部３０Ｂにおいて、シャフト３６の軸管部３６Ａ内を流れた水と合流してケーシング３４外へと排出される。
【００６０】
以上説明したように、本実施形態の排水栓の操作装置によれば、アウター部材２８の開口２８Ｃからケーシング３４内に水が浸入しても、軸管部３６Ａの内部を通って、ケーシング３４の下方から排出される。これにより、スラストロック機構４６が配置されたケーシング３４とシャフト３６との間に水が浸入することを防止できるため、例えば、石鹸水などの固着成分を有する水によりスラストロック機構４６が固着するのを防止でき、排水栓の動作不良を防止できる。
【００６１】
また、軸管部３６Ａの上部の外フランジ３６Ｅ及び連結アーム３６Ｂに傾斜面を設けることにより、軸管部３６Ａの上部に到達した水を確実に軸管部３６Ａ内に誘導できる。
【００６２】
さらに、連結アーム３６Ｂにより軸管部３６Ａと伝達軸部３６Ｃとを連結しており、さらに、連結アーム３６Ｂに傾斜面が設けられているため、伝達軸部３６Ｃを伝った水を確実に軸管部３６Ａ内に誘導できる。さらに、連結アーム３６Ｂまで到達した水が連結アーム３６Ｂを伝って軸管部３６Ａの外側表面に達するのを防止できる。
【００６３】
また、例えば、操作ボタン２４を取り外して洗浄する際などに、万が一、ケーシング３４と軸管部３６Ａとの間に水が浸入したとしても、ガイド部材３０の第２のガイド部３０Ｊの溝部３０Ｎに内側に向かう傾斜３０Ｐが設けられているため、ケーシング３４の内面に沿って流れる水を、第２のガイド部３０Ｊに滞留させることなく、下方へ促すことができる。
【符号の説明】
【００６４】
２  排水口
１０  排水栓操作装置
１４  排水栓部
１６  レリースワイヤ部
１８  第１のレリースワイヤ
１８Ａ  アウターチューブ
１８Ｂ  インナーワイヤ
２０  第２のレリースワイヤ
２４  操作ボタン
２６  栓蓋
２７  昇降機構
２８  アウター部材
２８Ｃ  開口
３０  ガイド部材
３０Ｊ  第２のガイド部
３０Ｐ  傾斜
３０Ｎ  溝部
３４  ケーシング
３６  シャフト
３６Ａ  軸管部
３６Ｂ  連結アーム
３６Ｃ  伝達軸部
３６Ｇ  傾斜面
３６Ｈ  傾斜面
４６  スラストロック機構
【図１】
2012214982.tif 000003
【図２】
2012214982.tif 000004
【図３】
2012214982.tif 000005
【図４】
2012214982.tif 000006
【図５】
2012214982.tif 000007
【図６】
2012214982.tif 000008
【図７】
2012214982.tif 000009
【図８】
2012214982.tif 000010
【図９】
2012214982.tif 000011
【図１０】
2012214982.tif 000012
【図１１】
2012214982.tif 000013
【図１２Ａ】
2012214982.tif 000014
【図１２Ｂ】
2012214982.tif 000015
【図１２Ｃ】
2012214982.tif 000016
【図１２Ｄ】
2012214982.tif 000017
【図１２Ｅ】
2012214982.tif 000018
【図１２Ｆ】
2012214982.tif 000019
【図１２Ｇ】
2012214982.tif 000020
【図１２Ｈ】
2012214982.tif 000021
【図１２Ｉ】
2012214982.tif 000022
【図１３】
2012214982.tif 000023
【図１４】
2012214982.tif 000024
【図１５】
2012214982.tif 000025